(57)【特許請求の範囲】
【請求項１】
動画コンテンツを再生し、スキップ命令された位置から予め定められた位置までの区間をスキップ可能とする再生装置において、
制御手段は、
スキップ命令された区間の開始と終了の位置（時間）情報を取得し、取得した情報で特定されるスキップ区間内の動画の内容から特徴あるサムネイルの取得位置を抽出すると共に、前記特徴あるサムネイルの取得位置を基準に、前記特徴あるサムネイルの理解をしやすくするサムネイルの取得位置を追加抽出し、抽出したそれぞれの取得位置の画像から各サムネイルを取得するサムネイル取得手段と、
取得した複数のサムネイルを、特徴あるサムネイルと当該特徴あるサムネイルの有する情報を補助するサムネイルとして使用して、電子画面を構築する電子画面構築手段と、
を含むことを特徴とする再生装置。
【請求項２】
前記制御手段は、
前記補助するサムネイルの追加取得位置を、２つの特徴あるサムネイル間を埋めて当該２つの特徴あるサムネイルの両方が有する情報を補助するように、２つの特徴あるサムネイルによって定まる区間内の動画の内容から特徴ある画像を判別して定める
ことを特徴とする請求項１記載の再生装置。
【請求項３】
前記制御手段は、
前記補助するサムネイルの追加取得位置を、前記特徴あるサムネイルの後方を、所定間隔で定める
ことを特徴とする請求項１記載の再生装置。
【請求項４】
前記制御手段は、
前記補助するサムネイルの追加取得位置を、前記特徴あるサムネイルの前方及び後方を、所定間隔で定める
ことを特徴とする請求項１記載の再生装置。
【請求項５】
前記制御手段は、
チャプタースキップ処理が入力された場合、
スキップするチャプター間の動画を時間で区切り、それぞれの区間から特徴あるサムネイルとして取得すると共に、前記特徴あるサムネイルの前後のサムネイルを前記補助するサムネイルとして追加取得して画面構築する
ことを特徴とする請求項１に記載の再生装置。
【請求項６】
前記制御手段は、
ＣＭスキップ処理が入力された場合、
スキップするＣＭの動画を序盤、中盤、終盤に区切り、終盤から動画の変化が少ない位置を特徴あるサムネイルを取得すると共に、序盤及び中盤の動画から補助するサムネイルを取得する
ことを特徴とする請求項１に記載の再生装置。
【請求項７】
情報処理装置の制御部を、動画コンテンツを再生し、スキップ命令された位置から予め定められた位置までの区間をスキップ可能に機能させるプログラムであって、
前記制御部を、
スキップ命令された区間の開始と終了の位置（時間）情報を取得し、取得した情報で特定されるスキップ区間内の動画の内容から特徴あるサムネイルの取得位置を抽出すると共に、前記特徴あるサムネイルの取得位置を基準に、前記特徴あるサムネイルの理解をしやすくするサムネイルの取得位置を追加抽出し、抽出したそれぞれの取得位置の画像から各サムネイルを取得するサムネイル取得手段と、
取得した複数のサムネイルを、特徴あるサムネイルと当該特徴あるサムネイルの有する情報を補助するサムネイルとして使用して、電子画面を構築する電子画面構築手段と、
して機能させることを特徴とするプログラム。
【請求項８】
前記制御部を、
前記補助するサムネイルの追加取得位置を、２つの特徴あるサムネイル間を埋めて当該２つの特徴あるサムネイルの両方が有する情報を補助するように、２つの特徴あるサムネイルによって定まる区間内の動画の内容から特徴ある画像を判別して定める
ように動作させることを特徴とする請求項７記載のプログラム。
【請求項９】
前記制御部を、
前記補助するサムネイルの追加取得位置を、前記特徴あるサムネイルの後方を所定間隔で定める
ように動作させることを特徴とする請求項７記載のプログラム。
【請求項１０】
前記制御部を、
前記補助するサムネイルの追加取得位置を、前記特徴あるサムネイルの前方及び後方を所定間隔で定める
ように動作させることを特徴とする請求項７記載のプログラム。
【請求項１１】
前記制御部を、
チャプタースキップ処理が入力された場合、
スキップするチャプター間の動画を時間で区切り、それぞれの区間から特徴あるサムネイルとして取得すると共に、前記特徴あるサムネイルの前後のサムネイルを前記補助するサムネイルとして追加取得して画面構築する
ように動作させることを特徴とする請求項７記載のプログラム。
【請求項１２】
前記制御部を、
ＣＭスキップ処理が入力された場合、
スキップするＣＭの動画を序盤、中盤、終盤に区切り、終盤から動画の変化が少ない位置を特徴あるサムネイルを取得すると共に、序盤及び中盤の動画から補助するサムネイルを取得する
ように動作させることを特徴とする請求項７記載のプログラム。
【請求項１３】
再生装置が動画コンテンツを再生し、スキップ命令された位置から予め定められた位置までの区間をスキップするときに表示する電子画面を構築する方法であって、
再生装置は、
スキップ命令された区間の開始と終了の位置（時間）情報を取得し、取得した情報で特定されるスキップ区間内の動画の内容から特徴あるサムネイルの取得位置を抽出すると共に、前記特徴あるサムネイルの取得位置を基準に、前記特徴あるサムネイルの理解をしやすくするサムネイルの取得位置を追加抽出し、抽出したそれぞれの取得位置の画像から各サムネイルを取得するサムネイル取得手段と、
取得した複数のサムネイルを、特徴あるサムネイルと当該特徴あるサムネイルの有する情報を補助するサムネイルとして使用して、電子画面を構築する電子画面構築手段と、
を有し、
スキップ動作を行なう場合に、
再生装置の制御部が、スキップされる区間の動画の内容を判別して、当該判別した結果から特徴あるサムネイルの取得位置と共に、前記特徴あるサムネイルを補助するサムネイルの取得位置を抽出し、それぞれの取得位置から複数のサムネイルを取得し、取得した特徴あるサムネイルと共に補助するサムネイルを含む映像を電子画面に表示可能に構築する
ことを特徴とする電子画面を構築する方法。
【請求項１４】
前記補助するサムネイルの追加取得位置を、２つの特徴あるサムネイル間を埋めて当該２つの特徴あるサムネイルの両方が有する情報を補助するように、２つの特徴あるサムネイルによって定まる区間内の動画の内容から特徴ある画像を判別して定める
ことを特徴とする請求項１３記載の電子画面を構築する方法。
【請求項１５】
前記補助するサムネイルの追加取得位置を、前記特徴あるサムネイルの後方を、所定間隔で定める
ことを特徴とする請求項１３記載の電子画面を構築する方法。
【請求項１６】
前記補助するサムネイルの追加取得位置を、前記特徴あるサムネイルの前方及び後方を、所定間隔で定める
ことを特徴とする請求項１３記載の電子画面を構築する方法。
【請求項１７】
チャプタースキップ処理が入力された場合、
スキップするチャプター間の動画を時間で区切り、それぞれの区間から特徴あるサムネイルとして取得すると共に、前記特徴あるサムネイルの前後のサムネイルを前記補助するサムネイルとして追加取得して画面構築する
ことを特徴とする請求項１３記載の電子画面を構築する方法。
【請求項１８】
ＣＭスキップ処理が入力された場合、
スキップするＣＭの動画を序盤、中盤、終盤に区切り、終盤から動画の変化が少ない位置を特徴あるサムネイルを取得すると共に、序盤及び中盤の動画から補助するサムネイルを取得する
ことを特徴とする請求項１３記載の電子画面を構築する方法。
【発明の詳細な説明】
【技術分野】
【０００１】
本発明は、動画コンテンツを再生する再生装置及びプログラムに関する。詳しくは、前記動画コンテンツからサムネイルを取得し、サムネイルを表示する電子画面を構築する再生装置及びプログラムに関する。
【背景技術】
【０００２】
関連する技術としては、ＭＰＥＧ（Moving Picture Experts Group）等の動画圧縮技術を用いて圧縮された動画コンテンツを伸張する再生装置が特許文献１ないし３に記載されている。
【０００３】
特許文献１には、一般的な情報処理装置にビデオデコーダをソフトウェアないしハードウェアを用いて設けて、動画コンテンツを再生可能とした再生装置が記載されている。特許文献１には、再生装置が、画像処理部を有し、ＤＳＰ（Digital Signal Processor）等により、ビデオデコーダによってデコードされた情報（画像）を加工合成して電子画面として構築でき、更に、ＣＭ（コマーシャルメッセージ）をスキップしすぎることを防止できる技術が開示されている。
【０００４】
特許文献２には、ＤＶＤ再生装置（光ディスク装置）が記載されており、従来のスキップに変えて、スキップに早送り機能とタイムサーチ機能（ジャンプ）との両機能を利用し、スキップ動作を従来のビデオデッキと同様に途中画像を早送りし、更に、正確にスキップ先の位置から再生可能とできる技術が記載されている。
【０００５】
特許文献３には、自動的にサムネイルを作成し、動画コンテンツを再生中のスキップ動作時に電子画面にサムネイルを複数枚表示することで、目的とする動画再生開始位置（スキップ停止位置）をサーチできる技術が記載されている。
【０００６】
【特許文献１】特開２００５−１８２８６９号公報
【特許文献２】特開２００５−３２７３４８号公報
【特許文献３】特開２００７−１１６４７２号公報
【発明の開示】
【発明が解決しようとする課題】
【０００７】
上記特許文献に記載された様に、動画コンテンツをスキップする方法としては、所定のスキップ位置（時間）までの映像を表示させない方法、一定間隔ごとの位置（時間）にあるサムネイルを結合して再生させ早送り映像を表示させる方法、サムネイルを等間隔で取得して一覧にして表示する方法がある。
【０００８】
上記、映像を表示させない方法では、スキップ先の位置（時間）までの映像を表示させない為に、視聴者がスキップ中の映像情報を認識できない。スキップ中の映像には、使用者が所望する情報が含まれている場合が多々ある。
【０００９】
早送り映像を表示させる方法では、スキップ先の位置（時間）まで早送りするまでに画像を複数表示する必要があり、スキップ完了までに時間が掛かる。また複数表示する映像を少なくした場合には、映像情報が少なくなり、早送りの意味を成さなくなる。
【００１０】
サムネイルを等間隔で取得して一覧にして表示する方法は、上記問題を解決する一つの方法であるが、特許文献３に記載された発明は、サムネイルを等間隔の区間で取得しているのみであり、スキップされた区間内の情報を認識することができない。この為、映像が有している有益な情報を十分に伝えているとはいえない。また、サムネイルは時間情報とリンクされているが、コンテンツの内容や画像の内容を何ら考慮していない。即ち、動画コンテンツの有している情報を伝え切れていない。
【００１１】
本発明の目的は、上記課題に鑑みて成されたものであり、スキップ操作によって割愛される動画の有する多くの情報を、効率よく取得再現できる再生装置およびプログラムを提供することにある。
【００１２】
尚、本発明においてスキップとは、早送りや巻き戻しのことを指し、ジャンプとは、再生時刻又はインデックスを指定し、位置（時間）を移動することを指す。即ち、再生装置（情報処理装置）にたいして行なう指示命令のスキップ処理、ジャンプ処理と必ずしも同一ではない。
【課題を解決するための手段】
【００１３】
本発明の再生装置は、動画コンテンツを再生し、スキップ命令された位置から予め定められた位置までの区間をスキップ可能とする再生装置において、制御手段は、スキップ命令された区間の開始と終了の位置（時間）情報を取得し、取得した情報で特定されるスキップ区間内の動画の内容から特徴あるサムネイルの取得位置を抽出すると共に、前記特徴あるサムネイルの取得位置を基準に、前記特徴あるサムネイルの理解をしやすくするサムネイルの取得位置を追加抽出し、抽出したそれぞれの取得位置の画像から各サムネイルを取得するサムネイル取得手段と、取得した複数のサムネイルを、特徴あるサムネイルと当該特徴あるサムネイルの有する情報を補助するサムネイルとして使用して、電子画面を構築する電子画面構築手段とを含むことを特徴とする。
【発明の効果】
【００１４】
本発明によれば、スキップ元からスキップ先までの映像に含まれた情報を効率良く取得し、表示できる再生装置及びプログラムを提供できる。
【発明を実施するための最良の形態】
【００１５】
本発明の第１の実施の一形態を図１ないし図１１に基づいて説明する。
【００１６】
本願発明は、サムネイルの取得（抽出）と、取得したサムネイルを電子画面に構築（合成）すること、またその組み合わせに特徴がある。
【００１７】
図１は、実施の一形態の再生装置１を示すブロック図である。本実施の一形態の再生装置１は、一般的なパーソナルコンピュータである。尚、パーソナルコンピュータでなくとも、動画コンテンツを再生可能な情報処理装置であればそれで良く、例えば、ＨＤＤレコーダ、ＤＶＤレコーダ等に代表される家電であっても良いし、ポータブルプレイヤーであっても良い。
【００１８】
再生装置１は、各種情報処理を行う制御部１１０、情報を一時記憶するＲＡＭ１２０、基本制御プログラムが格納されているＲＯＭ１３０、使用者によって情報を入力される入力部１４０、データ等を出力する出力部１５０、記憶装置としてＨＤＤ１６０、ネットワークを介しインターネット等との通信を行うためのネットワーク制御部１７０、動画を録画再生可能とする再生手段１８０、光学ディスクの情報を読み書きする光学装置１９０がバスによって接続されている。
【００１９】
入力部１４０には、キーボード、マウス、リモコンが接続され、制御部１１０に対して、使用者の操作を入力する。出力部１５０には、表示装置としてＬＣＤ（Liquid Crystal Display）やＣＲＴ（Cathode Ray Tube）等が接続され、制御部１１０からの出力情報を外部に出力する。また、スピーカなども出力部１５０に接続される。
【００２０】
ＨＤＤ１６０には、様々なプログラムやデータ、コンテンツが記憶されている。また、ＯＳ（Operating System）も格納されている。制御部１１０はこのＯＳの指示に基づいて動作する。ＨＤＤ１６０には、ＯＳの他にもブラウザや動画再生ソフト、録画ソフト等が格納されており、必要に応じてＲＡＭ１２０に展開されて使用される。ＨＤＤ１６０には、動画コンテンツが複数格納されており、使用者の要望により再生される。
【００２１】
また、ＨＤＤ２６０には、サムネイル取得手段、電子画面構築手段、スキップ手段を機能させるプログラム（動画再生ソフト）が格納されている。各種プログラムは、制御部１１０などのハードウェアや他のソフトウェアを使用し、サムネイル取得機能、電子画面構築機能、スキップ機能を実現し、動画コンテンツを再生し、スキップ可能とするプログラムである。
【００２２】
動画コンテンツは、電子ファイルとして保存されている動画ファイルのデータであり、例えば、ＭＰＥＧ方式によって圧縮符号化されている。
【００２３】
テレビ再生部１８０は、エンコーダ、デコーダを有し、再生した映像をテレビ用信号（コンポジット、ＨＤＭＩ等の信号）に変換する。本実施の一形態では表示装置としてテレビを接続するが、特に限定するわけではない。
【００２４】
このような構成において、実施の一形態の再生装置１は、スキップ元からスキップ先までの映像に含まれた情報を効率良く取得し、表示することが可能となる。
【００２５】
次に、再生装置１の使用者が、再生装置１に備わった各種機能を用いて、動画コンテンツＡの再生を行い、特定の位置（時間）からスキップを行なったものとして説明する。尚、動画コンテンツの再生や停止等は、記憶装置１６０に格納されている動画再生ソフトに従い、制御部１１０が行なう。
【００２６】
図２は、実施の一形態の再生装置１がスキップ時に電子画面を構築する動作を示すフローチャートである。
【００２７】
制御部１１０は、予め設定されているサムネイル表示を行なうかどうかの設定を取得する。サムネイル表示を行なう場合には、次ステップに進む。サムネイル表示を行なわない場合には、スキップ先の位置から再生する（ステップＳ２０１）。
【００２８】
制御部１１０は、スキップ区間の位置（時間）情報を取得する（ステップＳ２０２）。
【００２９】
制御部１１０は、動画コンテンツの内容と画像の内容を取得する（ステップＳ２０３）。尚、詳しくは後述する。
【００３０】
制御部１１０は、前ステップで取得した情報を元に、サムネイルを取得する位置（時間）を定め、当該定めた位置のサムネイルを取得（抽出）する（ステップＳ２０４）。尚、取得したサムネイルは、ＲＡＭ１２０に格納しても良いし、記憶装置１６０に一次記録しても良い。
【００３１】
制御部１１０は、取得したサムネイルを効率良く画面表示する為に、予め設定された画面フォーマットに従いサムネイルの一覧画面を構築（合成）する（ステップＳ２０５）。
【００３２】
制御部１１０は、構築したサムネイルの一覧画面を表示装置に表示できる形式に変換し、出力する（ステップＳ２０６）。即ち、画面表示する。
【００３３】
制御部１１０は、一覧表示したサムネイルを使用者が選択したかどうか識別する（ステップＳ２０７）。
【００３４】
制御部１１０は、一覧表示したサムネイルが選択されなかった場合には、数秒程度サムネイルの一覧を表示した後、スキップ先の位置から再生する（ステップＳ２０８）。
【００３５】
制御部１１０は、一覧表示したサムネイルが選択された場合には、選択されたサムネイルの位置（時間）にジャンプし、その位置から再生する（ステップＳ２０９）。
【００３６】
ここで、動画コンテンツの内容と画像の内容とを取得し、サムネイルを取得する手段（サムネイルの抽出）を例示して説明する。
【００３７】
動画コンテンツの内容を考慮してサムネイルを取得する手段としては、動画コンテンツの総時間から１回のスキップ量を決定し、スキップ時間を等分割し、分割した位置（時間）のサムネイルを取得する手段が挙げられる。また、映像コンテンツに含まれる音響の変化（再生音の周波数、振幅等）を識別し、変化量の大きい位置（時間）のサムネイルを取得する手段もある。更に、ＣＭのスキップでは、ＣＭの要部を抽出し、抽出した位置（時間）のサムネイルを取得する。ここで要部とは、画面に表示するサムネイルが１画像であれば、終盤部分に表示される商品やロゴであり、３画像であれば、序盤、中盤、終盤の画像である。具体的な例では、１５秒のＣＭでは、２秒、７秒、１４秒の３点でサムネイルを抽出し取得すれば良い。
【００３８】
画像の内容を考慮してサムネイルを取得する手段としては、１フレームの画像もしくは、前後のフレームとの差などの画像分析を行なう手段が挙げられる。例えば、ＭＰＥＧであればＩピクチャ（イントラ符号化画像）を取得し、既存の画像解析手法を用いて特徴的な画像（人物の顔、文字、ロゴ、物、商品など）を抽出し、抽出した画像の位置（時間）のサムネイルを取得する手段もある。尚、Ｐピクチャ、Ｂピクチャを用いても良い。前後のフレームとの差を認識し抽出する手段としては、ビットレート変化量を抽出しても良いし、モザイク処理を行った後のデータの差を抽出しても良く、抽出した位置（時間）の画像をサムネイルとして取得すれば良い。尚、ビットレートの変化が大きい場合は、画面が切り替った可能性が高く、また、変化が小さい場合には、同じ様な画面が続いている可能性が高い為、要部映像であることが判別できる。
【００３９】
ビットレート変化量を抽出するビットレートの閾値は、再生する動画の圧縮規格によってビットレートが異なる為、圧縮規格及び圧縮レートごとに定めれば良い。例えば、ＤＶＤ規格であれば、最大レートの１０．０８Ｍｂｐｓの約８０％である８Ｍｂｐｓを高ビットレートとして判別することとしても良い。ＭＰＥＧ４規格のＬＰ（２．２Ｍｂｐｓ）画質レートであれば、４Ｍｂｐｓを、ＳＰ（４．６Ｍｂｐｓ）画質レートであれば、６Ｍｂｐｓを高ビットレートとして判別することとしても良い。
【００４０】
次に、サムネイルの一覧画面の構築する手段（電子画面構築手段）を説明する。
【００４１】
サムネイルの一覧画面の構築する手段は、取得したサムネイルの情報（スキップする映像の情報）を効率良く表示する為に、取得（抽出）手段ごとにサムネイルの配置、大きさを変更することが望ましく、画面表示例を複数挙げ、詳説する。尚、表示装置３は、再生装置１の出力部１５０に接続されたモニターでも良いし、テレビ再生部１８０に接続されたテレビでも良い。画面表示例は、表示装置３の表示画面３１０に表示される電子画面を模式的に表現したものである。また、再生装置が表示部を有する場合には、当該表示部を表示画面３１０としても良い。
【００４２】
図３は、サムネイルの一覧を例示する表示例Ａである。
【００４３】
表示例Ａは、表示画面３１０中に４枚の大きなサムネイル（３０a、３０d、３０g、３０j）を表示し、更に、大きなサムネイルの右脇に２枚の小さなサムネイル（３０b、３０c等）を表示する。
【００４４】
図４は、図３に示した表示画面３１０に表示するサムネイルの取得位置を示したタイムチャートＡである。
【００４５】
タイムチャートＡは動画コンテンツの一部もしくは全部であって、再生装置１の制御部１１０が、１スキップ動作で、スキップ開始位置４０からスキップ終了位置４２までのスキップ区間４５をスキップすることを示し、サムネイルの取得（ステップＳ２０４）のタイミングで、抽出位置a〜抽出位置ｌ（４１a〜４１l）までの１２枚のサムネイルを取得することを示す。
【００４６】
タイムチャートＡの各抽出位置（４１a〜４１l）は、サムネイルを取得する手段で、画像の内容を考慮して取得されている。
【００４７】
具体的には、スキップ期間４５の間で、ビットレートの変化量が大きい位置（映像の場面が切り替ったと考えられる位置）である４位置（４１a、４１d、４１g、４１j）を特徴的なサムネイルとして抽出し、特徴的なサムネイルの後を少し移動した位置で残りの８枚のサムネイル（４１b、４１c、４１e等）を取得することを示している。
【００４８】
図３の表示例Ａでは、前述のサムネイルの取得手段を用いて、取得した４枚の特徴的なサムネイルを大きく３０a、３０d、３０g、３０jの位置に表示し、４枚の特徴的なサムネイル右脇（３０b、３０c等の位置）に残りの８枚のサムネイルを表示する。
【００４９】
この様に、サムネイルを配置して表示可能とすることにより、動画コンテンツの内容を理解しやすくできる。また、当該サムネイルを画面上で選択可能とすれば、スキップ中の映像情報に容易にアクセスでき、使用者が所望する情報を提供可能となる。
【００５０】
図５は、サムネイルの一覧を例示する表示例Ｂである。
【００５１】
表示例Ｂは、表示画面３１０中に４枚の特徴的なサムネイルを表示し、更に、特徴的なサムネイルの両脇に２枚ずつの補助するサムネイルを表示する。
【００５２】
図６は、図５に示した表示画面３１０に表示するサムネイルの取得位置を示したタイムチャートＢである。
【００５３】
タイムチャートＢは、サムネイルの取得（ステップＳ２０４）のタイミングで、抽出位置a〜抽出位置ｔまでの２０枚のサムネイルを取得することを示す。
【００５４】
タイムチャートＢの各抽出位置は、音響の変化（再生音の周波数、振幅）を識別し、映像の要部と考えられる位置である４位置（c、h、m、r）を特徴的なサムネイルとして抽出し、特徴的なサムネイルの前後を少し移動した位置で１６枚のサムネイルを取得する。
【００５５】
図５の表示例Ｂでは、前述のサムネイルの取得手段を用いて、取得した４枚の特徴的なサムネイル（c、h、m、r ）を大きく表示し、４枚の特徴的なサムネイル両脇に前後のサムネイル（a、b、d、e等）を表示する。
【００５６】
この様に、サムネイルを配置して表示可能とすることにより、動画コンテンツの内容を理解しやすくできる。また、当該サムネイルを画面上で選択可能とすれば、スキップ中の映像情報に容易にアクセスでき、使用者が所望する情報を提供可能となる。
【００５７】
図７は、サムネイルの一覧を例示する表示例Ｃである。
【００５８】
表示例Ｃは、表示画面３１０中に６枚の大きなサムネイル（b、f、j、n、r、v）を表示し、更に、大きなサムネイルの両脇に小さなサムネイル（a、c、d、e等）を表示する。
【００５９】
図８は、図７に示した表示画面３１０に表示するサムネイルの取得位置を示したタイムチャートＣである。
【００６０】
タイムチャートＣは、サムネイルの取得のタイミングで、抽出位置a〜抽出位置xまでの２４枚のサムネイルを取得することを示す。
【００６１】
タイムチャートＣの各抽出位置は、映像の要部と考えられる位置である６位置（b、f、j、n、r、v）を特徴的なサムネイルとして抽出し、特徴的なサムネイル（b、f、j、n、r、v）の間で、更に特徴のある位置のサムネイルを抽出し、残りの１８枚のサムネイルを取得する。
【００６２】
図７の表示例Ｃでは、前述のサムネイルの取得手段を用いて、取得した６枚の特徴的なサムネイル（b、f、j、n、r、v）を大きく表示し、特徴的なサムネイル間を埋める様に、更に特徴のある位置のサムネイル（a、c、d、e等）を表示する。
【００６３】
この様に、サムネイルを配置して表示可能とすることにより、動画コンテンツの内容を理解しやすくできる。また、当該サムネイルを画面上で選択可能とすれば、スキップ中の映像情報に容易にアクセスでき、使用者が所望する情報を提供可能となる。
【００６４】
図９は、サムネイルの一覧を例示する表示例Ｄである。
【００６５】
表示例Ｄは、表示画面３１０中にスキップ後（スキップ終了位置）の映像（本編）５０を表示し、サムネイルａ〜ｅ（５０a〜５０e）を下部の余白に表示する。
【００６６】
サムネイルａ〜ｅの各抽出位置は、サムネイルの取得手段を用いて、映像の要部と考えられる５位置を抽出する。
【００６７】
この様に、サムネイルａ〜ｅを配置して表示可能とすることにより、スキップした動画コンテンツの内容を理解しやすくできる。また、再生を開始した後もサムネイルを表示する様にすれば、本編の映像を視聴しつつスキップした情報を取得できる。即ち、スキップ操作によって割愛される動画の有する情報を、効率よく取得再現できる。尚、サムネイルａ〜ｅは、本編の映像に重ねて表示（スーパーインポーズ）しても同様の効果が得られる。
【００６８】
図１０は、サムネイルの一覧を例示する表示例Ｅである。
【００６９】
表示例Ｅは、チャプターをスキップするとき等に有用である表示例である。表示例Ｅは、スキップするチャプターの序盤、中盤、終盤を時間で区切り、その序盤、中盤、終盤から特徴的なサムネイルを要部映像として抽出して取得し、更に、要部映像の前後のサムネイルを取得し、表示したものである。
【００７０】
この様に、要部映像のサムネイル（b、e、h）を配置し、その右脇に要部映像の前後の映像のサムネイル（a、c、d等）を配置することにより、スキップしたチャプターの内容を理解しやすくできる。
【００７１】
図１１は、ＣＭをスキップするときのサムネイルの一覧を例示する表示例Ｆである。
【００７２】
表示例Ｆは、ＣＭをスキップするとき等に有用である表示例である。表示例Ｆは、スキップするＣＭの序盤、中盤、終盤を時間で区切り、その終盤から特徴的なサムネイルを要部映像として抽出して取得し、更に、序盤、中盤の映像をサムネイルとして取得し、表示したものである。
【００７３】
多くのＣＭは、終盤に製品や会社の商標を数秒表示し、ＣＭの伝えたい情報を強調する。また、動きが少ない映像はじっくり見せる為の工夫であり、要部であると判断できる。
【００７４】
そこで、終盤のビットレートの低位置（映像の変化が少ない位置）を要部映像であると識別しサムネイルを取得し、電子画面に大きく表示すれば、ＣＭの有する情報を効率よく表示できる。また、標章を画像認識（文字認識）でサムネイルとして取得し、表示することにより、ＣＭの有する情報を効率よく表示できる。
【００７５】
上記表示例以外にも、特徴ある映像を、特徴毎に分類しサムネイルとして取得して一覧に表示したり、サムネイルを特徴の度合いにあわせて一覧の表示を変更したりできる。例えば、サムネイルの配置を通常左から右のところを、右から左とすることで、表示する順序の時間軸を逆にし、結論に当たる要部を大きく左側に表示し、次に右側に周辺の映像を表示し、映像の情報を取得できる様に配置すれば、コンテンツの有する情報を効率よく表示できる。尚、情報番組や文字が多用されるプレゼンテーションのコンテンツなどに特に有用である。
【００７６】
上記説明の様に、本発明の実施の一形態によれば、再生ソフト（プログラム）が制御部等を機能させることにより、実施の一形態の再生装置１は、スキップ元からスキップ先までの映像に含まれた情報を効率良く取得し、表示できる。
【００７７】
尚、本実施の一形態は再生装置１で説明したが、再生装置１の構成は、特に限定しない。例えば、動画コンテンツの再生をビデオカードに行なわせた場合などには、制御部とビデオカードに搭載されるＧＰＵやＶＰＵなどとが、ＶＲＡＭ等を使用し、動画コンテンツを再生する。また、動画コンテンツが光学ディスクに記録されている場合には、光学装置を用いて情報を取得し、再生すれば良い。また、ネットワークを介して動画コンテンツを取得しても良い。
【００７８】
再生ソフトは、動画コンテンツが圧縮されていなければ、伸張する必要が無く、デコーダ機能を必要としない。また、ハードウェアとソフトウェアのどちらで再現しても良く、特に限定は無い。
【００７９】
即ち、再生装置は動画コンテンツを再生できて、スキップ機能を有し、電子画面を表示させることが可能であれば、どの様な情報処理器機でも良い。
【００８０】
尚、使用者が所望する情報とは、例えば、動画コンテンツのストーリー、タイトル画面、サブタイトル画面、字幕、画面の切替位置、内容の改変位置、ＣＭの内容などが挙げられる。
【００８１】
また、再生装置は、リモコンやマウス、キーボードなどによって操作させるが、リモコンの特殊操作などとリンクさせてサムネイルの一覧を表示させれば、尚効果的である。例えば、複数の専用ボタンを設け、ボタンごとにサムネイルの一覧表示形式を変更しても良いし、スキップボタンを２回押すことにより、サムネイルの一覧を解除しても良い。更に、スキップボタンを２回押すことにより、サムネイルの一覧を表示させる様にしても良い。
【００８２】
更に、スキップボタンを２回押すことにより、次のスキップ先までのサムネイルの一覧を表示可能としても良い（連続スキップ機能）。
【００８３】
上述の実施の一形態の説明では、サムネイルの取得と、取得したサムネイルを電子画面に構築すること、またその組み合わせを説明したが、本願発明は、サムネイルに変え、動画を用いることも可能である。動画を用いる場合は、特徴的なサムネイルを取得するサムネイル取得手段に変え、サムネイルと同様の手法で選択（切出）された縮小表示用動画を取得する特徴的動画取得手段を機能させ、電子画面構築手段と制御部は縮小した動画を表示可能とすれば良い。
【００８４】
サムネイルに変え縮小動画を表示再生すれば、スキップ操作によって割愛される動画の有する多くの情報を、効率よく取得再現できる。
【００８５】
尚、多くの使用者がスキップ機能を用いる理由、スキップ時に早送り映像を望む理由は、必要性の薄い映像（内容、情報）を飛ばし見することであると考え、特定の秒数をジャンプすることが本質ではない。即ち、必要性の薄い映像（内容、情報）の取得も使用者から望まれており重要である。
【図面の簡単な説明】
【００８６】
【図１】実施の一形態の再生装置を示すブロック図である。
【図２】再生装置がスキップ時に電子画面を構築する動作を示すフローチャートである。
【図３】サムネイルの一覧を例示する表示例Ａである。
【図４】表示画面に表示するサムネイルの取得位置を示したタイムチャートＡである。
【図５】サムネイルの一覧を例示する表示例Ｂである。
【図６】表示画面に表示するサムネイルの取得位置を示したタイムチャートＢである。
【図７】サムネイルの一覧を例示する表示例Ｃである。
【図８】表示画面に表示するサムネイルの取得位置を示したタイムチャートＣである。
【図９】サムネイルの一覧を例示する表示例Ｄである。
【図１０】サムネイルの一覧を例示する表示例Ｅである。
【図１１】ＣＭをスキップするときのサムネイルの一覧を例示する表示例Ｆである。
【符号の説明】
【００８７】
１      再生装置
３      表示装置（ＬＣＤ、ＣＲＴ、ＴＶ）
１１０  制御部
１２０  ＲＡＭ
１３０  ＲＯＭ
１４０  入力部
１５０  出力部
１６０  記録装置
１７０  ネットワークインターフェース
１８０  テレビ再生部
１９０  光学装置
３１０  表示画面
【図１】
0004539884.tif 000002
【図２】
0004539884.tif 000003
【図３】
0004539884.tif 000004
【図４】
0004539884.tif 000005
【図５】
0004539884.tif 000006
【図６】
0004539884.tif 000007
【図７】
0004539884.tif 000008
【図８】
0004539884.tif 000009
【図９】
0004539884.tif 000010
【図１０】
0004539884.tif 000011
【図１１】
0004539884.tif 000012